(57)【要約】【課題】  防水パンの載置に自由度を持たせ、洗い場としての簡便に特設洗い場や流し場などとして用いられ、場所も取らずコンパクトで体裁良好な防水パンとして用いられ、その設置も簡便に行い、点検時や清掃時に設置位置を移動したり取り除いたりする取り扱いの簡易化を図る。【解決手段】  洗い水を外部に垂れ流すことなく受けることができ、受けた排水を導出する排水設備２を備えた防水パン１としたもので、該防水パン１を載せることができる載置台３とからなり、該載置台３に手押し操作用ハンドル４と、方向自在の車輪５を有するキャスタ６とを備えて床面または地面上を移動できる手押し可動台４０とすると共に、冷水または／および温水の洗い水を給水することができる混合栓７を備えた給水設備８と、給水経路に配備した電子瞬間湯沸器９とを設置したパネル１０を前記手押し可動台又は手押し操作用ハンドル４に設けて、床面または地面上を移動できるようにした。【選択図】    図１
2005034601.tif 000002
【特許請求の範囲】
【請求項１】
洗い水を外部に垂れ流すことなく受けることができ、受けた排水を導出する排水設備を備えた防水パンと、該防水パンを載せることができる載置台とからなり、該載置台に手押し操作用ハンドルと、方向自在の車輪を有するキャスタとを備えて床面または地面上を移動できる手押し可動台とすると共に、冷水または／および温水の洗い水を給水することができる混合栓を備えた給水設備と、給水経路に配備した電子瞬間湯沸器とを設置したパネルを前記手押し可動台または手押し操作用ハンドルに設けたことを特徴とする防水パン。
【請求項２】
請求項１記載の防水パンにおいて、前記載置台の手押し操作用ハンドルが、載置台に起伏自在に枢着連結された構成として備えられ、該操作用ハンドルに起立ロック機構を備えたことを特徴とする防水パン。
【請求項３】
請求項１または請求項２記載の防水パンにおいて、前記給水設備が、給水口と、給温口とを有し、給冷温水を吐出する吐出口と、シャワ口とに切替えられるコックを備えた混合栓からなり、前記シャワ口に接続されるホース又は該ホースに取り付けたシャワヘッドを着脱自在に係止する把持具を設けたことを特徴とする防水パン。
【請求項４】
請求項１、請求項２または請求項３記載の防水パンにおいて、前記電子瞬間湯沸器が、ヒーターを内蔵したボックスと、温度調整機構とを備えて給湯できるものであって給湯経路に接続連結されていることを特徴とする防水パン。
【請求項５】
請求項３または請求項４記載の防水パンにおいて、前記手押し可動台が、防水パンを載せることができる台座フレームにキャスタを備え、該台座フレームに固定され、手押し操作用ハンドルを固着するハンドル取付け部材と、該ハンドル取付け部材をベースとするカバー部材とを備えたことを特徴とする防水パン。
【請求項６】
洗い水を外部に垂れ流すことなく受けることができ、受けた排水を導出する排水設備を備えた防水パンを載せることができる載置台において、該載置台に脚柱と、方向自在の車輪を有するキャスタとを備えて床面上を移動できる可動台とするか或いは高位調節自在のアジャスタを備えて固定台とすると共に、冷水または／および温水の洗い水を給水することができる混合栓を備えた給水設備と、給水経路に配備した電子瞬間湯沸器とを設置したパネルを前記可動台或いは固定台に設けたことを特徴とする防水パン。
【請求項７】
請求項５または請求項６記載の防水パンにおいて、前記防水パンが外周縁に立ち上げた二重の周壁部を備えたトレー状パンであって、該周壁部の凹部に前記台座フレームを嵌合配備したことを特徴とする防水パン。
【請求項８】
請求項５、請求項６または請求項７記載の防水パンにおいて、前記キャスタが、車輪軸にストッパを回動自在に備え、所定場所の選定時に固定維持できるようにすると共に、前記台座フレームあるいは脚柱に着脱自在に取り付けたことを特徴とする防水パン。
【請求項９】
請求項８記載の防水パンにおいて、前記防水パンの周囲に飛散防止板を立設して備えたことを特徴とする防水パン。
【請求項１０】
洗い水を外部に垂れ流すことなく受けることができ、受けた排水を導出する排水設備を備えた防水パンと、該防水パンを載せることができる載置台とからなり、該載置台を有して、手押し操作用ハンドルと、方向自在の車輪を有するキャスタとを備えて床面または地面上を移動できる手押し可動台とすると共に、該手押し可動台に冷水または／および温水の洗い水を給水することができる混合栓を備えた給水設備を設置したことを特徴とする防水パン。
【請求項１１】
請求項１０記載の防水パンにおいて、防水パンのある前記載置台が、手押し可動台に起伏自在に枢着連結された構成として備えられ、前記防水パンを水平状態或いは垂直状態に設置できて、手押し可動台に収納できる構成としたことを特徴とする防水パン。
【請求項１２】
請求項１０または請求項１１記載の防水パンにおいて、前記手押し可動台が、上下フレームと、サイドフレームと、各フレームを外側から覆うカバー状のパネルとからボックスに構成され、両サイドフレームの間で正面パネルに沿って防水パンが配置され、かつ給水口と、給温口とを有し、給冷温水を吐出する吐出口と、シャワ口とに切替えられるコックを備えた混合栓からなる給水設備を正面パネルに備えたことを特徴とする防水パン。
【請求項１３】
請求項１０、請求項１１または請求項１２記載の防水パンにおいて、前記手押し可動台に、ヒーターを内蔵したボックスと、温度調整機構とを備えて給湯できるものであって給湯経路と給水経路とに接続連結されている電子瞬間湯沸器を設置したことを特徴とする防水パン。
【請求項１４】
請求項１０、請求項１１、請求項１２または請求項１３記載の防水パンにおいて、前記手押し可動台が、可動台の両サイド壁にドアをヒンジ部によって開閉自在に備えたものであって、両サイド壁間に組み入れ収納される防水パンを覆う構成としたことを特徴とする防水パン。
【発明の詳細な説明】
【技術分野】
【０００１】
本発明は、住宅内の洗い場或いはバスルームやマンションの台所、洗面所、ベランダ或いは流し場や屋外の庭、建築現場や作業場若しくはトンネル内、その他の野外における臨時の作業所、施設、工場のほか特設洗い場などにおいて用いられる防水パンに関するものである。
【背景技術】
【０００２】
従来、洗い場その他の流し場などに配置される防水パンは、排水ホースと接続され、排水ホースから流出する廃水（汚水）を床下に配設した排水管に案内するために用いられており、床面上や土間上の平坦な場所に置いて固定して用いられている。
【０００３】
特許文献１の防水パンは、固定具を挿通して直接家屋床部に固定するもので、排水床部の周縁に框部が設けられ、該框部は排水床部から一体に立ち上げられ、且つ框部の上部より下方に屈曲されて形成されている。
そしてこの防水パンは、家屋の床上に載置され、固定具が前記框部の挿通孔に挿通され、固定具の頭部が収納凹部に収納されるまで床にねじ込まれて床上に固定されていることが記載されている。
【特許文献１】実公平２−４５３２７号公報
【発明の開示】
【発明が解決しようとする課題】
【０００４】
この従来の住宅などの家屋の洗い場では、洗い場の床面上に防水パンが取り付けられているため、敷設される排水トラップの設備も、防水パンの載置した床下にあって排水トラップ設備や配管の漏水の点検や設備良否の検査、点検が必要になっても、トラップや配管の良否が点検できず、漏水原因や設備検査特に満水検査時に床下の検査や、排水トラップ本体と排水管の接合状態の良否も確認できない不便があって、この点検作業にも固定した防水パンが邪魔となって施工作業や住宅の維持管理上に不安があって問題があった。
また、この防水パンは、ベランダ或いは流し場や屋外の庭、建築現場、作業場若しくはトンネル内、その他の野外における臨時の作業所、施設、工場のほか洗い場のない場所に必要なときには、特設流し場などとして簡単には用いられないし、特定の場所に固定されているため作業上取り扱い不便であるばかりか、リビング或いは野外での洗い場としては、防水パンの移動ができず特設設備或いは模様替えや清掃取り扱いにも不便、不体裁な形態であり、さらに、床面上の掃除をも防水パンが邪魔となって綺麗にできないなど限定された取り扱いになるものであった。
【０００５】
本発明は、これら従来の不便さを排除しようとするもので、防水パンの載置に自由度を持たせ、洗い場としての簡便に特設流し場などとして用いられ、場所も取らずコンパクトで体裁良好な防水パンとして用いられ、その設置も簡便に行うことができ、しかも点検時や清掃時に設置位置を移動したり取り除いたりすることも容易に行うことができ取り扱いの簡易化を図ることにある。
さらに本発明では、排水トラップ設備や配管の漏水の点検や設備良否の検査、点検が必要になっても、トラップや配管の良否が容易に点検でき、施工作業や住宅の維持管理が容易であり、施行工事も簡便に行うことができ、しかも防水パン周囲の清潔さの維持も楽であり、不衛生感がなく安全に用いられる低コストの防水パンを提供することを目的としている。
さらにまた、本発明は、防水パンの移動時や保管時などに防水パンが邪魔にならず手押し可動台に収納して取り扱われ、体裁良好で施工作業も著しく簡便で安全に行うことができ、排水設備の検査、点検や補修での作業性の向上を図ることができる。
【課題を解決するための手段】
【０００６】
本発明は、洗い水を外部に垂れ流すことなく受けることができ、受けた排水を導出する排水設備を備えた防水パンと、該防水パンを載せることができる載置台とからなり、該載置台に手押し操作用ハンドルと、方向自在の車輪を有するキャスタとを備えて床面または地面上を移動できる手押し可動台とすると共に、冷水または／および温水の洗い水を給水することができる混合栓を備えた給水設備と、給水経路に配備した電子瞬間湯沸器とを設置したパネルを前記手押し可動台または手押し操作用ハンドルに設けたことで、洗い場などの床面での防水パンの設置場所に自由度がある形態とするのがよい。
【０００７】
また、本発明の防水パンにおいては、前記載置台の手押し操作用ハンドルが、載置台に起伏自在に枢着連結された構成として備えられ、該操作用ハンドルに起立ロック機構を備えたことと、前記給水設備が、給水口と、給温口とを有し、給冷温水を吐出口と、シャワ口とに切替えられるコックを備えた混合栓からなり、前記シャワ口に接続されるホース又は該ホースに取り付けたシャワヘッドを着脱自在に設けたことで、作業場若しくはトンネル内、その他の野外における臨時の作業所、施設、工場のほか洗い場のない場所に必要なときに、特設流し場などの簡易形態とする。
【０００８】
本発明の防水パンでは、前記電子瞬間湯沸器が、ヒーターを内蔵したボックスと、温度調整機構とを備えて給湯できるものであって給湯経路に接続連結されていることで、洗い場での給水、給湯ならびに混合水の使い分けができ、各種の洗浄作業取り扱いを容易に行なうことができ、しかも防水パンの設置位置を移動したり取り除いたりすることも容易に行うことができ洗い場としての取り扱いの簡易化を図る形態とする。
【０００９】
さらに、本発明の防水パンでは、前記手押し可動台が、洗い水を外部に垂れ流すことなく受けることができ、受けた排水を導出する排水設備を備えた防水パンを載せることができる台座フレームにキャスタを備え、該台座フレームに固定され、手押し操作用ハンドルを固着するハンドル取付け部材と、該ハンドル取付け部材をベースとするカバー部材とを備えるのがよい。
【００１０】
また、本発明では、前記載置台に脚柱と、方向自在の車輪を有するキャスタとを備えて床面上を移動できる可動台とするか或いは高位調節自在のアジャスタを備えて固定台とすると共に、冷水または／および温水の洗い水を給水することができる混合栓を備えた給水設備と、給水経路に配備した電子瞬間湯沸器とを設置したパネルを前記可動台或いは固定台に設けたことで、前記防水パンが外周縁に立ち上げた二重の周壁部を備えたトレー状パンであって、該周壁部の凹部に前記台座フレームを嵌合配備したこと、前記防水パンの周囲に飛散防止板を立設して備えたことにより、リビング或いは野外での洗い場として防水パンの移動ができて特設設備或いは模様替えや清掃取り扱いにも簡単で体裁良好な形態であり、さらに、床面上の掃除をも防水パンが邪魔とななることなく綺麗にでき取り扱いの簡便化が可能となることが配慮してある。
【００１１】
さらに本発明は、排水設備を備えた防水パンと、該防水パンを載せることができる載置台とからなり、該載置台を有して、手押し操作用ハンドルと、方向自在の車輪を有するキャスタとを備えて床面または地面上を移動できる手押し可動台とすると共に、該手押し可動台に冷水または／および温水の洗い水を給水することができる混合栓を備えた給水設備を設置したことで、防水パンの移動時や保管時などに防水パンが邪魔にならず手押し可動台に収納して取り扱われ、体裁良好で施工作業も著しく簡便で安全に行うことができ、排水設備の検査、点検や補修での作業性の向上を図れる構成とする。
【００１２】
この場合、前記防水パンのある前記載置台が、手押し可動台に起伏自在に枢着連結された構成として備えられ、前記防水パンを水平状態或いは垂直状態に設置できて、手押し可動台に収納できる構成とするのがよく、また前記手押し可動台としては、上下フレームと、サイドフレームと、各フレームを外側から覆うカバー状のパネルとからボックスに構成され、両サイドフレームの間で正面パネルに沿って防水パンが配置され、かつ給水口と、給温口とを有し、給冷温水を吐出する吐出口と、シャワ口とに切替えられるコックを備えた混合栓からなる給水設備を正面パネルに備えるのがよい。
【００１３】
さらに、前記手押し可動台に、ヒーターを内蔵したボックスと、温度調整機構とを備えて給湯できるものであって給湯経路と給水経路とに接続連結されている電子瞬間湯沸器を設置できるし、手押し可動台の両サイド壁にドアをヒンジ部によって開閉自在に備えたものであって、両サイド壁間に組み入れ収納される防水パンを覆う体裁良好な構成とするのが好ましい。
【発明の効果】
【００１４】
本発明は、洗い水を外部に垂れ流すことなく受けることができ、受けた排水を導出する排水設備を備えた防水パンと、該防水パンを載せることができる載置台とからなり、該載置台に手押し操作用ハンドルと、方向自在の車輪を有するキャスタとを備えて床面または地面上を移動できる手押し可動台とすると共に、冷水または／および温水の洗い水を給水することができる混合栓を備えた給水設備と、給水経路に配備した電子瞬間湯沸器とを設置したパネルを前記手押し可動台または手押し操作用ハンドルに設けたことにより、ベランダ或いは流し場や屋外の庭、建築現場、作業場若しくはトンネル内、その他の野外における臨時の作業所、施設、工場のほか洗い場のない場所に必要なときに、足洗い場やペット洗い場などの特設洗い場などとして場所も取らずコンパクトで体裁良好に用いられ洗い場などの床面或いは地面での防水パンの載置に自由度を持たせ、場所も取らずコンパクトで体裁良好な防水パンとして、床面の設置も簡便に行うことができ、洗い場の取り扱いの簡易化を図ることにある。
【００１５】
また、本発明の防水パンにおいて、前記載置台の手押し操作用ハンドルが、載置台に起伏自在に枢着連結された構成として備えられ、該操作用ハンドルに起立ロック機構を備えたことと、前記給水設備が、給水口と、給温口とを有し、給冷温水を吐出口と、シャワ口とに切替えられるコックを備えた混合栓からなり、前記シャワ口に接続されるホース又は該ホースに取り付けたシャワヘッドを着脱自在に設けたことで、ベランダ或いは流し場や屋外の庭、建築現場、作業場若しくはトンネル内、その他の野外における臨時の作業所、施設、工場のほか洗い場のない場所に必要なときには、特設洗い場などとして簡単に用いられる。
【００１６】
本発明の防水パンは、前記電子瞬間湯沸器が、ヒーターを内蔵したボックスと、温度調整機構とを備えて給湯できるものであって給湯経路に接続連結されていることで、貯湯タンクや保温のための予備熱源は不要で給湯でき、洗い場での給水、給湯ならびに混合水の使い分けができ、各種の洗浄作業取り扱いを容易に行なうことができ、しかも防水パンの設置位置を移動したり取り除いたりすることも容易に行うことができ洗い場としての取り扱いの簡易化が図られる。
【００１７】
さらに、本発明の防水パンでは、前記手押し可動台が、洗い水を外部に垂れ流すことなく受けることができ、受けた排水を導出する排水設備を備えた防水パンを載せることができる台座フレームにキャスタを備え、該台座フレームに固定され、手押し操作用ハンドルを固着するハンドル取付け部材と、該ハンドル取付け部材をベースとするカバー部材とを備えたことにより、組立て構成が簡単で低コストの洗い場とすることができ、防水パンを移動したり取り除いたりすることで、ベランダ或いは流し場や屋外の庭、建築現場、作業場若しくはトンネル内、その他の野外における臨時の作業所、施設、工場のほか洗い場のない場所に必要なときに、足洗い場やペット洗い場などの特設流し場などとして場所も取らずコンパクトで体裁良好に用いられる。
【００１８】
また、本発明では、前記載置台に脚柱と、方向自在の車輪を有するキャスタとを備えて床面または地面上を移動できる可動台とするか或いは高位調節自在のアジャスタを備えて固定台とすると共に、冷水または／および温水の洗い水を給水することができる混合栓を備えた給水設備と、給水経路に配備した電子瞬間湯沸器とを設置したパネルを前記可動台或いは固定台に設けたことで、前記防水パンが外周縁に立ち上げた二重の周壁部を備えたトレー状パンであって、該周壁部の凹部に前記台座フレームを嵌合配備したこと、前記防水パンの周囲に飛散防止板を立設して備えたことにより、リビング或いは野外での洗い場として防水パンの移動ができて特設設備或いは模様替えや清掃取り扱いにも簡単で体裁良好な形態であり、さらに、床面上の掃除をも防水パンが邪魔とななることなく綺麗にでき取り扱い簡便化できるし、防水パン周囲の環境の清潔さの維持も楽で、不衛生感がなく安全に用いられる等の効果がある。
【００１９】
さらに本発明は、排水設備を備えた防水パンと、該防水パンを載せることができる載置台とからなり、該載置台を有して、手押し操作用ハンドルと、方向自在の車輪を有するキャスタとを備えて床面または地面上を移動できる手押し可動台とすると共に、該手押し可動台に冷水または／および温水の洗い水を給水することができる混合栓を備えた給水設備を設置したことで、防水パンの移動時や保管時などに防水パンが邪魔にならず手押し可動台に収納して取り扱われ、体裁良好で施工作業も著しく簡便で安全に行うことができ、排水設備の検査、点検や補修での作業性の向上を図れる。
【００２０】
この場合、前記防水パンのある前記載置台が、手押し可動台に起伏自在に枢着連結された構成として備えられ、前記防水パンを水平状態或いは垂直状態に設置できて、手押し可動台に収納できる構成とすれば、手押し可動台をコンパクトにした状態で運搬でき、取扱いが容易であり、保管時にも場所を取らず体裁もよい。また前記手押し可動台としては、上下フレームと、サイドフレームと、各フレームを外側から覆うカバー状のパネルとからボックスに構成され、両サイドフレームとの間で正面パネルに沿って防水パンが配置され、かつ給水口と、給温口とを有し、給冷温水を吐出する吐出口と、シャワ口とに切替えられるコックを備えた混合栓からなる給水設備を正面パネルに備えれば、構成が簡単で安価に製造できる。
【００２１】
さらに、前記手押し可動台に、ヒーターを内蔵したボックスと、温度調整機構とを備えて給湯できるものであって、給湯経路と給水経路とに接続連結されている電子瞬間湯沸器を設置すると、洗い場での給水、給湯ならびに混合水の使い分けができ、各種の洗浄作業取り扱いを容易に行なうことができ、しかも防水パンの設置位置を移動したり取り除いたりすることも容易に行うことができ洗い場としての取り扱いの簡易化が図られるほか、さらに手押し可動台の両サイド壁にドアをヒンジ部によって開閉自在に備えたものであって、両サイド壁間に組み入れ収納される防水パンを覆う構成とすると、設置場所に邪魔にならず周囲の見栄えを損なうことなく管理でき体裁上も好ましい。
【発明を実施するための最良の形態】
【００２２】
以下、本発明の第１実施の形態を図１〜図６の図面を参照して説明する。
この実施の形態における防水パン１は、洗い水を外部に垂れ流すことなく受けることができ、受けた排水を導出する排水設備２を備えたもので、該防水パン１と、防水パン１を載せることができる載置台３とからなり、該載置台３に手押し操作用ハンドル４と、方向自在の車輪５を有するキャスタ６とを備えて床面または地面上を移動できる手押し可動台４０とすると共に、冷水または／および温水の洗い水を給水することができる混合栓７を備えた給水設備８と、給水経路に配備した電子瞬間湯沸器９とを設置したパネル１０を前記手押し可動台４０又は手押し操作用ハンドル４に設けて、床面または地面上を移動できるようになっている。
【００２３】
前記防水パン１としては、四隅に形成した取付用ネジ孔部１１  を有し、外周縁に立ち上げた二重の周壁部１２  を備えたトレー状パンであって、該周壁部１２  の凹部に前記載置台３の凸部などの縁部を嵌合配備するようにしたもので、取付用ネジ孔部１１  にネジを挿入して載置台３に取り付けたものを用いるのがよく、洗い場の大きに応じたものを選んで用いられる。（図１及び図２）
この場合、この防水パン１は、実施例では、排水パイプ１３に接続される排水口に排水トラップ１２を配備した排水設備２のある防水パン１を選んで用いるのがよく、該防水パン１の排水パイプ１３は、配設される排水管に連結されて、トラップ機能をはたす排水経路として用いられ、洗い水は排水口からスムーズに排出することができ、載置台３に備えたキャスタ６があることで、洗い場などの床面または地面上での移動が簡単にでき場所を取らずコンパクトで体裁良好な防水パンとして、床面或いは地面内での設置場所の自由な選定ができて、取り扱いの簡易化を図ることができるし、排水設備の施工作業や住宅の維持管理も容易に行なえる。
また、前記載置台３の手押し操作用ハンドル４としては、載置台３に起伏自在に枢着連結された構成として備えられ、該操作用ハンドル４にバネで弾装したロックレバー１４とストッパ１５のある起立ロック機構１６を備えてあり、組み立て時に起立状態を維持でき不使用時には折り畳み自在となるようにするのがよい。
この場合、ロックレバー１４をバネに抗して案内溝に押し下げることで操作用ハンドル４の先端部が回動でき、操作用ハンドル４を起立状態から倒すことができ、引き起しのときはストッパ１５とロックレバー１４との間に操作用ハンドル４の先端部が介在して起立状態を維持できる。
【００２４】
なお、前記給水設備８は、給水口８１  と、給温口１２  とを有し、給冷温水を吐出する蛇口１１と、シャワ口１７とに切替えられるコック１８を備えた混合栓７からなり、前記シャワ口１７に接続されるホース１９又は該ホース１９に取り付けたシャワヘッド２０を着脱自在に係止する把持具などのホルダー２１をフレキシブルパイプ２２によって設けて、洗い場としての利用しやすいようにしてある。
特に、給温水には、ガス、灯油などの燃料エネルギーを使用しない前記電子瞬間湯沸器９が、貯湯タンクや保温のための予備熱源のいらない耐熱放射線材、ファインセラミックスからなるヒーターを内蔵したボックス９１  と、給湯量の調整によって湯温をコントロールできる温度調整機構９２  とを備えて、かつ蛇口の開閉によって電源が自動的にＯＮ／ＯＦＦして熱湯、温水が供給されて、給湯できるものが用いられていて、給湯経路を介して前記給水設備８に接続連結されていて給水源の水道蛇口からの水を導水すれば、温水にして防水パン１に導出できるようにしてある。
【００２５】
さらに、前記手押し可動台４０としては、載置台３が防水パン１を載せることができる台座フレーム３１  にキャスタ６を着脱自在に備えたものからなり、該台座フレーム３１  に固定され、手押し操作用ハンドル４を固着するハンドル取付け部材３２  と、該ハンドル取付け部材３２  をベースとするカバー部材３３  とを備えて洗い水を外部に垂れ流すことなく受けることができる防水パン１を配備しやすくするのがよい。（図３）
また、前記キャスタ６は、車輪軸にストッパを回動自在に備え、該ストッパを回転してストッパが車輪５に押圧された状態で所定場所の選定時に固定維持できるようにするのもよく、図３に示すように前記台座フレーム３１  のネジ孔に着脱自在にネジ部によってねじ込み取り付けて簡単に組立て或いは更新できるようにするのが便利である。
前記電子瞬間湯沸器９は、コンセント９３  を含む電気配線機器を有し、前記手押し操作用ハンドル４に嵌合取付け枠２３に固定されるプレート２４に配置され、周囲をカバー２５、２６で覆って保安と、取り扱いにも良好な形態として、インドア或いはアウトドアに適合した体裁良好な形態にするよう配慮する。（図４）
【００２６】
図５および図６の例では、洗い水やその他の排水を外部に洩れることなく受ける防水パン１は、排水設備２として排水トラップ１２が排水口に嵌合されて固定されて用いられ、この排水トラップ１２は、一体に成形された横引き接続部或いは縦引き接続部に接続される排水ホース等の排水パイプ１３に連結される排水トラップ本体に、トラップ機能をはたす封水カップ２７と、該封水カップ２７に流水用の間隔をあけて嵌挿され下端開口部で連通し、封水カップ２７に載置される封水筒２８とを挿脱自在に備えると共に、封水カップ２７上に目皿２９を目皿受け３０を介して着脱自在にねじ込みあるいは嵌合配備したものから成っている。
前記封水カップ２７としては、前記目皿受け３０に挿脱自在に嵌挿される有底筒体で、あって、筒体上部周側面にオーバーフロー孔あるいはスリットを複数設けてある。
なお、前記排水トラップ１２では、各部材が耐衝撃性、耐腐性および耐熱性などに優れたＡＢＳ樹脂等で成形され、排水口を覆い防水パン１に密着固着されるが、前記目皿２９は、ネジ止め或いは嵌合止めによって目皿受け３０に着脱自在に備えられる。
【００２７】
図７或いは図８の例では本発明の第２実施の形態を示したもので、洗い水を外部に垂れ流すことなく受けることができ、受けた排水を導出する排水設備２を備えた防水パン１と、該防水パン１を載せることができる載置台３とからなり、載置台３に脚柱３１と、方向自在の車輪３５を有するキャスタ３６とを備えて床面または地面上を移動できる可動台とするか（図７）或いは高位調節自在のアジャスタ３４を備えて固定台とするかして（図８）、冷水または／および温水の洗い水を給水することができる混合栓７を備えた給水設備８と、給水経路に配備した電子瞬間湯沸器９とを設置したパネル１０を前記載置台３に設けて、床面または地面上を移動又は固定できるようになっている。
この場合、前記載置台３の下に必要に応じ棚部材３２が付設され、その他前記防水パン１、排水設備２並びに給水設備８、電子瞬間湯沸器９を含む給湯設備としては、前例と同様のものが用いられる。
図８の例のように、前記防水パン１の周囲、例えば前面或いは両側面若しくは全面に洗い水の飛散防止板３３を立設して備えて、リビングにに適合した体裁良好な形態にするよう配慮するが好ましい。
【００２８】
図９〜図１２の例では本発明の第３実施の形態を示したもので、洗い水を外部に垂れ流すことなく受けることができ、受けた排水を導出する排水設備２を備えた防水パン１と、該防水パン１を載せることができる載置台３とからなり、該載置台３を有して、手押し操作用ハンドル４，４１  と、方向自在の車輪５を有するキャスタ６とを備えて床面または地面上を移動できる手押し可動台４０とすると共に、該手押し可動台４０に冷水または／および温水の洗い水を給水することができる混合栓７を備えた給水設備８を設置したもので、この防水パン１のある前記載置台３が、手押し可動台４０に起伏自在に枢着連結された構成として備えられ、前記防水パン１を水平状態或いは垂直状態に設置できて、手押し可動台４０に収納できる構成としてある。
【００２９】
前記手押し可動台４０としては、上下フレーム４１，４２と、サイドフレーム４３と、各フレームを外側から覆うカバー状の塩ビ鋼板などのパネル４４，４５とからボックスに構成され、下フレーム４２に方向自在の車輪５のあるキャスタ６を備えてあり（図１２）、両サイドフレーム４３の間で正面パネル４５に沿って防水パン１が載置台３を介して配置される。
この場合、載置台３に裏打ち合板などの補強板４６を介在して防水パン１が取り付けられ、この載置台３の底面に取付け金具３９を介して脚部を兼ねる操作ハンドル４１  を設けると共に、ブラケット３７を一対設けて、枢軸３８によって前記正面パネル４５の両側板に回動自在に枢着する。
なお、該正面パネル４５には、給水口と、給温口とを有し、給冷温水を吐出する吐出口と、シャワ口とに切替えられるコックを備えた混合栓７からなる給水設備８を備え、前記防水パン１の上方に配置されるようにしてあり、防水パン１を折畳み組み入れた時に邪魔にならないようにセットされている。
【００３０】
この実施例では、前記手押し可動台４０に、ヒーターを内蔵したボックスと、温度調整機構とを備えて給湯できるものであって給湯経路と給水経路とに接続連結されている電子瞬間湯沸器９の給湯設備を設置するが、その他前記防水パン１、排水設備２並びに給水設備８は、前例と同様のものが用いられる。
【００３１】
そして、使用状態では、図９及び図１１ａに示すように防水パン１を展開して水平状態に設置して洗い場として水仕事ができ、運搬並びに保管時には図１０及び図１１ｂに示すように防水パン１を持ち上げ折り畳み、手押し可動台４０の正面パネル４５に沿わせて収納すれば取り扱い易く用いられる。
【００３２】
図１３の例では、前例の前記手押し可動台４０に開閉扉を設けた例で、手押し可動台４０の両サイド壁にドア４８をヒンジ部４７によって開閉自在に備えたものであって、両サイド壁間に組み入れ収納される防水パン１を覆う構成としてリビング或いは周囲の環境に適応できる体裁良好な形態としてあり、ドア４８は、洗い水の飛散防止板としても有効に用いられる。
【図面の簡単な説明】
【００３３】
【図１】本発明に係る第１実施例の防水パンの使用状態を示す斜視図である。
【図２】図１の例の防水パンの使用状態を裏面側から見た斜視図である。
【図３】図１の例の載置台のフレーム構造を分離した状態で示す斜視図である。
【図４】図１の例のパネル構造を分離した状態で示す斜視図である。
【図５】図１の例の防水パンの平面図である。
【図６】図５の例ののＡ−Ａ線における拡大縦断面図である。
【図７】本発明に係る第２実施例の防水パンを示す使用状態の斜視図である。
【図８】本発明に係る防水パンのさらに他の実施例を示す使用状態の斜視図である。
【図９】本発明に係る第３実施例の防水パンを示す使用状態を示し、（ａ）は展開状  態の側面図、（ｂ）はその平面図である。
【図１０】図９の例の防水パンの折畳状態を示し、（ａ）はその正面図、（ｂ）はそ  の側面図、（ｃ）はその平面図である。
【図１１】図９の例の防水パンの使用状態を示し、（ａ）は防水パンの展開状態の斜  視図、（ｂ）は防水パンの折畳状態の斜視図である。
【図１２】図９の例のフレーム、パネル構造を分離した状態で示す斜視図である。
【図１３】本発明に係る第３実施例の他の例の防水パンの使用状態を示し、（ａ）は  防水パンの展開状態の斜視図、（ｂ）は防水パンの折畳状態の斜視図である。
【符号の説明】
【００３４】
１    防水パン
１１    取付けネジ孔部
１２    周壁部
２    排水設備
３    載置台
３１    台座フレーム
３２    ハンドル取付け部材
３３    カバー部材
４    手押し操作用ハンドル
４１    手押し操作用ハンドル
５    車輪
６    キャスタ
７    混合栓
８    給水設備
９    電子瞬間湯沸器
９１    ボックス
９２    温度調整機構
９３    コンセント
１０    パネル
１１    蛇口
１２    排水トラップパ
１３    排水パイプ
１４    ロックレバー
１５    ストッパ
１６    起立ロック機構
１７    シャワ口
１８    コック
１９    ホース
２０    シャワヘッド
２１    ホルダー
２２    フレキシブルパイプ
２３    取付け枠
２４    プレート
２５    カバー
２６    カバー
２７    封水カップ
２８    封水筒
２９    目皿
３０    目皿受け
３１    脚柱
３２    棚部材
３３    飛散防止板
３４    アジャスタ
３５    車輪
３６    キャスタ
３７    ブラケット
３８    枢軸
３９    取付け金具
４０    手押し可動台
４１    上フレーム
４２    下フレーム
４３    サイドフレーム
４４    パネル
４５    正面パネル
４６    補強板
４７    ヒンジ部４
４８    ドア                    
【図１】
2005034601.tif 000003
【図２】
2005034601.tif 000004
【図３】
2005034601.tif 000005
【図４】
2005034601.tif 000006
【図５】
2005034601.tif 000007
【図６】
2005034601.tif 000008
【図７】
2005034601.tif 000009
【図８】
2005034601.tif 000010
【図９】
2005034601.tif 000011
【図１０】
2005034601.tif 000012
【図１１】
2005034601.tif 000013
【図１２】
2005034601.tif 000014
【図１３】
2005034601.tif 000015